(57)【特許請求の範囲】
【請求項１】
柱部と、１つ以上の隣接したロケータピンとを備えたチューニングマシンを、前記柱部を受けるように適合された第１柱部用開口部と、前記チューニングマシンの前記ロケータピンと配置が合わない隣接した受け孔と、を有する設置構造を備えた弦楽器に設置するための装置であって、該装置は
ｉ．  楽器側表面と、チューニングマシン側表面と、それらの表面同士の間にわたり、前記チューニングマシンの前記柱部を受けて通過させるように構成された第２柱部用開口部とを備えた設置部材と、
ｉｉ．  前記チューニングマシンの前記柱部が前記第２柱部用開口部内に配置されるときに前記チューニングマシンの前記ロケータピンにアライメントされて前記チューニングマシンの前記ロケータピンを受けるように適合された、前記チューニングマシン側表面における１つ以上のチューニングマシンアライメント開口部と、
ｉｉｉ．  前記チューニングマシンの前記柱部が前記設置部材の前記第２柱部用開口部内と前記楽器の前記第１柱部用開口部内とに配置されるときに前記楽器の前記受け孔にアライメントされる、前記楽器側表面における１つ以上の楽器用アライメント要素とを含み、
前記チューニングマシン側表面は前記チューニングマシンの基部を補完的に受け、前記楽器側表面は、配置が合わない前記楽器に前記チューニングマシンが固定されることができるように前記楽器の前記設置構造と補完的に適合される、装置。
【請求項２】
前記楽器用アライメント要素は、前記楽器の前記受け孔にアライメントされ、前記楽器の前記受け孔内に受けるように適合された突起部を含む、請求項１に記載の装置。
【請求項３】
前記楽器用アライメント要素は、前記楽器の前記受け孔にアライメントされ、前記楽器用アライメント要素を通過する留め具を前記楽器のそれぞれの前記受け孔に係合させるように適合されたノッチ及び孔のうちの１つ、又はその両方を含む、請求項１に記載の装置。
【請求項４】
前記設置部材は、前記装置と前記チューニングマシンとが前記楽器に設置されるときに前記チューニングマシンのボディの設置面と正確に合致するように形づくられた板形状である、請求項２に記載の装置。
【請求項５】
前記設置部材は、前記装置と前記チューニングマシンとが前記楽器に設置されるときに前記チューニングマシンのボディの設置面と正確に合致するように形づくられた板形状である、請求項３に記載の装置。
【請求項６】
柱部と、１つ以上の隣接したロケータピンとを備えたチューニングマシンを、前記柱部を受けるように適合された第１柱部用開口部と、前記チューニングマシンの前記ロケータピンと配置が合わない隣接した受け孔と、を有する設置構造を備えた弦楽器に設置する方法であって、該方法は、
ｉ．  楽器側表面と、チューニングマシン側表面と、それらの表面同士の間にわたり、前記チューニングマシンの前記柱部を受けて通過させるように構成された第２柱部用開口部とを備えた設置部材を設けるステップと、
ｉｉ．  前記チューニングマシンの前記柱部が前記第２柱部用開口部内に配置されるときに前記チューニングマシンの前記ロケータピンにアライメントされて前記チューニングマシンの前記ロケータピンを受けるように適合された、前記チューニングマシン側表面における１つ以上のチューニングマシンアライメント開口部を設けるステップと、
ｉｉｉ．  前記チューニングマシンの前記柱部が前記設置部材の前記第２柱部用開口部内と前記楽器の前記第１柱部用開口部内とに配置されるときに前記楽器の前記受け孔にアライメントされる、前記楽器側表面における１つ以上の楽器用アライメント要素を設けるステップと、
ｉｖ．  前記柱部が前記第２柱部用開口部を通過し、前記ロケータピンが前記チューニングマシンアライメント開口部内に受け入れられるように、前記チューニングマシンを前記設置部材に配置するステップと、
ｖ．  前記柱部が前記楽器の前記第１柱部用開口部を通過し、前記楽器用アライメント要素が前記楽器の対応する受け孔にアライメントされるように、前記チューニングマシンと前記設置部材との組合せを前記楽器に配置するステップと、
ｖｉ．  前記チューニングマシンを前記楽器に固定するステップとを含み、
前記チューニングマシン側表面は前記チューニングマシンの基部を補完的に受け、前記楽器側表面は、配置が合わない前記楽器に前記チューニングマシンが固定されることができるように前記楽器の前記設置構造と補完的に適合される、方法。
【請求項７】
前記楽器用アライメント要素は、前記楽器の前記受け孔にアライメントされ、前記楽器の前記受け孔内に受けるように適合された突起部を含み、
前記ステップｖは、前記チューニングマシンと前記設置部材との組合せを、前記柱部が前記楽器の前記第１柱部用開口部を通過し、前記突起部が前記楽器の前記受け孔にアライメントされるように前記楽器に配置することを含む、請求項６に記載の方法。
【請求項８】
前記楽器用アライメント要素は、前記楽器の前記受け孔にアライメントされ、前記楽器用アライメント要素を通過する留め具を前記楽器のそれぞれの前記受け孔に係合させるように適合されたノッチ及び孔のうちの１つ、又はその両方を含み、
前記ステップｖｉは、前記留め具を、前記楽器用アライメント要素を介して又は前記楽器用アライメント要素に対して、前記楽器の前記受け孔内に留めることを含む、請求項６に記載の方法。
【発明の詳細な説明】
【技術分野】
【０００１】
本発明は、チューニング機構を弦楽器に設置するためのシステム、キット、及び方法に広く関する。より詳しくは、本発明は、楽器を恒久的に変形又は変化させることなく、多様なチューニングマシンを楽器に適応及びアライメントさせて設置するためのシステム及び方法に一般に関する。
【背景技術】
【０００２】
弦楽器では、各弦の一方の端部には固定アンカーが、そして他方の端部には、ユーザが弦にかかる最適な張力量を定めることを可能にする機構が、通常は設けられる。弦が振動する周波数は、様々なパラメータの中で、弦の振動長さ及び張力に大きく依存する。弦の張力を調節するために用いられるギア式機械機構はチューニングマシン又はチューニングヘッドとしてしばしば言及される。チューニングマシンは本技術分野において既知であり、ギターやバンジョーなどに使用される典型的なチューニングマシンは、ボディ１４を介して延びるワームシャフトの端部に固定されたチューニングハンドル１２を含む。ワームホイールはボディ１４内のワームシャフトのワームと噛合され、円柱部１６はワームホイールと接続され、ワームホイールの回転軸にアライメントされる。円柱部１６は、楽器のヘッド部の孔を介して弦の側に延び、その軸が弦に対して通常は垂直になるようにアライメントされる。操作において、チューニングハンドル１２（つまりワームシャフト）が回転されると、ワームホイール、つまり円柱部１６が回転する。このため、円柱部１６に形成されたギター弦挿入孔１３を介して挿入されたギターの弦は、円柱部１６に巻きとられる又は円柱部１６において緩められ、弦の張力を上げるか又は下げて、弦のチューニングがおこなわれる。
【０００３】
様々なデザインである数多くの市販のチューニングマシンを入手することが可能であり、その多くは上述された共通の特徴や機能を有している。過去と現在とのチューニングマシン製造者又はチューニングマシンの型のなかで、本明細書では設置構造としても言及される接続構造構成についての違いがある。該接続構造構成により、チューニングマシンが取り付けられる又は取り付けられた特定の仕様又は型の楽器のヘッドにチューニングマシンが接続又は結合されることができる。例として、図１及び図２に示されるような一部のチューニングマシン１０はボディ１４の底表面１８から延びる１つ以上の突出部又はピン１７を備え、該１つ以上の突出部又はピン１７は、楽器又はギターやバンジョーなどのヘッド２０において柱部受け孔２８に隣接して設けられた、補完的にサイズを定められアライメントされた孔１９に受け入れられる。ヘッド２０の補完孔１９内に配置されたチューニングマシンのピン１７によって、チューニングマシン１０の不要な回転又は動作が防止される。チューニングマシンのその他の変形では、チューニングマシンのボディから延び、そして円柱部１６用の孔２８に隣接してヘッド２０に設けられた孔２６にアライメントされる孔２４を含む１つ以上の耳部２２が含まれてもよい。ねじ３１は、耳部２２の孔２４を介してヘッド２０の孔２６に固定されて、チューニングマシンの不要な動作又は回転を防止する。ねじを用いるその他の設置構造のいくつかの実施例は、図５のヘッドモデルにおいて例示され、柱部受け孔２８の周りの点３２は、適合されるチューニングマシンのボディ上の補完的突起部か、適合されるチューニングマシンのボディを通過するねじか、又はその両方を組み合わせたものを受ける孔を表す。
【０００４】
時間の経過に伴ってチューニングマシンは摩耗又は破損し、交換が必要とされ得る。さらに、古いチューニングマシンを最新技術の又はより美感に訴えるユニットに交換することは望ましい。しかし、特定の楽器のチューニングマシンを交換するにあたってしばしば起こる問題は、楽器の変形を不要にするため、交換されるものと同様の設置構成を備えたチューニングマシンを、交換部品の市場において見つけることである。例えばギターに関しては、交換部品の市場において、交換されるユニットとのものと同様の設置構成を備えた所望のチューニングマシンを得ることはしばしば難しく、或いは不可能である。これはつまり、新しいチューニングマシンの設置構成に合致する追加の孔を空けることによって、又は、新しいチューニングマシンの耳部・孔に合致するヘッドの新しい位置にねじを打ち込むことによって、又はその両方によって、楽器のヘッドを変形させる必要があることを意味する。古い孔が見える状態で残存する場合、見た目をきれいに保つために充填される必要がある。多くの場合、楽器の所有者にとって、ヘッドを変形させることは楽器の価値を保つ上で不本意なことであり得る。その場合、交換チューニングマシンを見つけることは困難であり且つ時間がかかるか、又はその選択肢は限られ得る。
【０００５】
上述の問題の解決を模索する先行技術の一装置は、米国ニューヨーク州、インターラーケンのヒップショットプロダクツ社が販売するＵＭＰ（ユニバーサルマウントプレート）と呼ばれる装置であり、特許文献１に記載される。ＵＭＰ装置は、ギターのチューニングマシンとヘッドとの間に適合されるアダプタプレートである。プレート表面のタブは、チューニングマシンがヘッドに対して横滑りすることを防止する。また、現存のヘッドの孔を介してチューニングマシンに挿入されるリーチナットは、アセンブリ全体を定位置に確実に保つ。つまり、１つのユニットとして連動するチューニングマシンは、ヘッドの孔自体を、個別の配置用ピン又は設置用ねじ孔というよりも安定性のために用いる。ＵＭＰは、平坦な基部のチューニングマシンが種々の設置構造のヘッドに設置されることができるシステムを提供する一方で、ヘッド上に複数のチューニングマシンにわたるプレートが見て取れるため美的外観が損ねられ、一部の楽器の所有者又は愛好者にとっては、体裁がよく映らない。特に、外観の美しさを保つことに熱心なギター愛好家はＵＭＰ装置を理想的な解決策とは見なさないであろう。一設置構成のチューニングマシンを、楽器の美観を保持するために外観上は目立たないようにしながら、異なる設置構造を有する楽器のヘッドに設置するためのアダプタ装置及び方法が必要とされている。
【先行技術文献】
【特許文献】
【０００６】
【特許文献１】国際特許公開第２０１４／０５２９１０号
【発明の概要】
【発明が解決しようとする課題】
【０００７】
先行技術における問題点は、既に楽器に存在する複数の設置構造に対して、ロケータピンをその基部の下部に有するチューニングマシンを設置するためのシステム、キット及び方法が提供されることによって解決され得る。
【課題を解決するための手段】
【０００８】
例えば、基部の下部表面から下に向かって延びる２つのロケータピンを備えるチューニングマシンは、動作や回転に耐えるためチューニングマシンを通過しヘッドに入るねじを収容するヘッドのねじ孔を有する設置構造を備えた楽器又はヘッドに設置されてもよい。
【０００９】
従って、一部の態様において、本発明は、柱部と、１つ以上の隣接したロケータピンとを備えたチューニングマシンを、柱部を受けるように適応された第１柱部用開口部と、チューニングマシンのロケータピンとは位置がずれた隣接した受け孔とを有する設置構造を備えた弦楽器に設置するための装置を提供し、該装置は、楽器側表面、チューニングマシン側表面、及びその表面同士の間にわたり、チューニングマシンの柱部を受けて通過させるように構成された第２柱部用開口部を備えた設置部材と、チューニングマシンの柱部が第２柱部用開口部内に配置されるときにチューニングマシンのロケータピンにアライメントされてチューニングマシンのロケータピンを受けるように適応された、チューニングマシン側表面における１つ以上のチューニングマシンアライメント開口部と、チューニングマシンの柱部が設置部材の第２柱部用開口部内と楽器の第１柱部用開口部内とに配置されるときに楽器の受け孔にアライメントされる、楽器側表面における１つ以上の楽器用アライメント要素と、を含み、チューニングマシン側表面はチューニングマシンの基部を補完的に受け、楽器側表面は、チューニングマシンが不一致の組合せの楽器に固定されることができるように楽器の設置構造と補完的に適合する。一部の実施形態において、楽器用アライメント要素は、楽器の受け孔にアライメントされ、受け孔内に受けるように適合された突起部を含んでもよい。一部の実施形態において、楽器用アライメント要素は、楽器の受け孔にアライメントされ、楽器用アライメント要素を通過する留め具を楽器の各受け孔に係合させるように適合されるノッチ若しくは孔、又はノッチ及び孔を含んでもよい。
【００１０】
さらに、本発明は、柱部と、１つ以上の隣接したロケータピンとを備えたチューニングマシンを、柱部を受けるように適合された第１柱部用開口部と、チューニングマシンのロケータピンに対して位置がずれた隣接した受け孔とを備えた設置構造を有する弦楽器に設置する方法を提供し、該方法は、
楽器側表面と、チューニングマシン側表面と、その表面同士の間にわたり、チューニングマシンの柱部を受けて通過させるように構成された第２柱部用開口部とを備えた設置部材を設けるステップと、
チューニングマシンの柱部が第２柱部用開口部内に配置されるときにチューニングマシンのロケータピンにアライメントされてチューニングマシンのロケータピンを受けるように適応された、チューニングマシン側表面における１つ以上のチューニングマシンアライメント開口部を設けるステップと、
チューニングマシンの柱部が設置部材の第２柱部用開口部内と楽器の第１柱部用開口部内とに配置されるときに楽器の受け孔にアライメントされる、楽器側表面における１つ以上の楽器用アライメント要素を設けるステップと、
柱部が第２柱部用開口部を通過し、ロケータピンがチューニングマシンアライメント開口部に受け入れられるように、チューニングマシンを設置部材上に配置するステップと、
柱部が楽器の第１柱部用開口部を通過し、楽器用アライメント要素が対応する楽器の受け孔にアライメントされるように、チューニングマシンと設置部材との組合せを楽器に配置するステップと、
チューニングマシンを楽器に固定するステップとを含み、
チューニングマシン側表面はチューニングマシンの基部を補完的に受け、楽器側表面は、チューニングマシンが不一致の組合せの楽器に固定されることができるように楽器の設置構造と補完的に適合する。一部の実施形態において、楽器用アライメント要素は、楽器の受け孔にアライメントされ、受け孔内に受け入れられるように適応された突起部を含んでもよく、また、チューニングマシンと設置部材との組合せは、柱部が楽器の第１柱部用開口部を通過し、突起部が楽器の受け孔にアライメントされるように楽器に配置されてもよい。一部の実施形態において、楽器用アライメント要素は、楽器の受け孔にアライメントされ、楽器用アライメント要素を通過する留め具を楽器の各受け孔に係合させるように適合されるノッチ若しくは孔、又はノッチ及び孔を含んでもよく、また固定するステップは、留め具を、楽器用アライメント要素を介して又は楽器用アライメント要素に対して、楽器の受け孔に留めることを含んでもよい。
【発明の効果】
【００１１】
また、本明細書に記載される構成要素は、元の楽器をまったく変形させることなく大部分の楽器に適合される又は後付けされるように設計される。
【００１２】
本発明のその他の態様及び特徴は、添付の図面と特許請求の範囲と併せて、以下の本発明の発明を実施するための形態の記載に目を通すことで、当業者には明白になる。
【００１３】
図面は、本発明の実施形態を一例としてのみ描出する。
【図面の簡単な説明】
【００１４】
【図１】図１は、例としてのギターへッドと、ロケータピンを備えたチューニングマシンとの斜視図であり、ヘッドに対するチューニングマシンの配置を示す。
【図２】図２は、図１のチューニングマシンの正面図である。
【図３】図３は、ギターへッドと、ねじラグを有する別の変形型のチューニングマシンとの斜視図であり、ヘッドに対するチューニングマシンの配置を示す。
【図４】図４は、図３のチューニングマシンの背面図である。
【図５】図５は、ギターへッドの上面図であり、チューニングマシン設置構造の数を例示する。
【図６】図６は、本発明による設置部材のいくつかの実施形態の斜視図を包含し、楽器用アライメント要素は、楽器の受け孔にアライメントされる孔（６ａ及び６ｂ）又はノッチ（６ｃ及び６ｄ）を含む
【図７】図７は、図６の実施形態の上面図を包含する。
【図８】図８は、ギターへッドの斜視図であり、図1のチューニングマシンと共に、図６における設置部材のうち実施形態（ａ）を設置する配置を示す。
【図９】図９は、ギターへッドの斜視図であり、図1のチューニングマシンと共に、図６における設置部材のうち実施形態（ｂ）を設置する配置を示す。
【図１０】図１０は、本発明の設置部材の別の実施形態を上部から見た斜視図である。楽器用アライメント要素は本明細書においてロケータピンとしても言及される突起部を含み、該突起部は楽器の受け孔にアライメントされ受け入れられる。
【図１１】図１１は、図１０の設置部材を下部から見た斜視図である。
【図１２】図１２は、図１０の設置部材の上面図である。
【図１３】図１３は、図１２に示されるＡ−Ａ面に沿った、図１０の設置部材の断面図である。
【図１４】図１４は、図１２に示されるＢ−Ｂ面に沿った、図１０の設置部材の断面図である。
【図１５】図１５は、図１０の設置部材の下面図である。
【図１６】図１６は、図１５に示されるＣ−Ｃ面に沿った、図１０の設置部材の断面図である。
【図１７】図１７は、ギターヘッドの斜視図であり、図1のチューニングマシンと共に、図1０〜図１６の実施形態の設置部材を設置する配置を示す。
【図１８】図１８は、図１７に示されるＤ−Ｄ面に沿った、図１７のヘッドに固定されたチューニングマシン及び設置部材の断面図である。
【図１９】図１９は、図1０〜図１６に示される設置部材の実施形態を用いて設置されたチューニングマシン一式を備えたギターヘッドの斜視図である。
【発明を実施するための形態】
【００１５】
図１及び図２を参照すると、典型としてのチューニングマシン１０の正面図（図２）と、ヘッドに対してチューニングマシンを設置する配置を示す、例としてのギターへッド２０及びチューニングマシン１０の斜視図（図１）とが提示される。チューニングマシン１０などのチューニングマシンは当該技術分野において既知であり、通常は、チューニングヘッドのボディ１４を通過して延びるワームシャフト（図示せず）の端部に固定されるチューニングハンドル１２を含む。ワームホイール（これも図示せず）はボディ１４内部のワームシャフトのワームと噛合され、円柱部１６はワームホイールと接続され、ワームホイールの回転軸にアライメントされる。円柱部１６は、ヘッドの柱部受け孔２８を介してヘッドの弦と同じ側に延び、その軸が弦に対して通常は垂直になるようにアライメントされる。操作において、チューニングハンドル１２（つまりワームシャフト）が回転されるとき、ワームホイール、つまり円柱部１６を回転させる。このため、円柱部１６に形成されたギター弦挿入孔１３を介して挿入されるギターの弦は、円柱部に巻きとられる又は円柱部において緩められ、弦の張力に作用し、弦のチューニングがおこなわれる。円柱部１６はねじ式ハブ１５に包囲され、ヘッドの他方の側からねじを係合する補完ナット（図示せず）によってチューニングマシンがヘッドに固定される。チューニングマシンについての上記記載は、本明細書における目的のためにある程度簡易化されているが、当業者には認識される構造、操作、及び弦楽器への通常のチューニングマシンの設置である。
【００１６】
図１及び図２のチューニングマシン１０は、チューニングマシンのボディ１４の下部又はヘッド側表面１８から延びる対の突起部又はロケータピン１７を含む。図１のヘッドは、チューニングマシンの円柱部１６を受けるように適合された柱部用孔又は開口部２８を含む。柱部用開口部２８と隣接するのは、チューニングマシンのボディ上のロケータピン１７が円柱部１６に対して配置されるとき、柱部用開口部２８に対して補完的に配置される対の受け孔１９である。受け孔１９は、ヘッドの柱部用開口部２８にチューニングマシンの円柱部１６が完全に挿入されるときに、チューニングマシンのロケータピン１７を受けるように適合される。受け孔の数と、ヘッドの柱部開口部に対する受け孔の各間隔とは、設置構造における一例であり、提示される実施形態は、チューニングマシンのボディの前方側下端部に対のロケータピンを備えたチューニングマシンを受けるように適合されたものである。また、様々な設置構造と補完的なチューニングマシンとが市販されていることは当業者には明白であろう。
【００１７】
図３及び図４を参照すると、他のチューニングマシン１１の正面図（図４）と、ヘッドに対するチューニングマシン１１の設置における配置を示すギターへッド２０及びチューニングマシン１１の斜視図（図３）とが示される。チューニングマシン１１は、ロケータピン１７が省略され、チューニングマシンのボディにおいて孔２４が通過する耳部２２が追加されていることを除いて、図２のチューニングマシン１０と類似する。ヘッド２０の補完的設置構造は、柱部用開口部２８と隣接する孔２６とを含む。該構造はチューニングマシン１１のボディにおける耳部２２の孔２４の間隔及び配置と相補的であり、チューニングマシン１１の円柱部がヘッドの柱部用開口部２８に完全に挿入されるときに孔２４は孔２６にアライメントされる。また、ねじ３１が耳部２２の孔２４を介してヘッド２０の孔２６に固定され、チューニングマシンの不要な動作又は回転を防ぐ。
【００１８】
図５を参照すると、様々な一般的設置構造を例示するギターヘッド２０の上面図が示され、該構造のそれぞれは、チューニングマシンの不要な動作又は回転を防ぐような形態でチューニングマシンを楽器に固定する場合に、相補的なチューニングマシンを必要とする。実際には、一般に１つの型の設置構造のみがヘッドに存在するので、これは例示を目的とするものである。例示される柱部用開口部２８周囲の孔３２は、合致されるチューニングマシンの下部表面上の補完的なロケータピンを受けるための受け孔を表すか、又は合致するチューニングマシンのボディを通過するねじを受けるためのねじ孔を表すか、又は、その両方を表す。また、当業者は、市販されているチューニングマシン用の他の種々の設置構造があることを認識するであろう。
【００１９】
図６及び図７は、本発明による設置部材３４の複数の実施形態の斜視図及び上面図をそれぞれ含み、通常は、上部側又はチューニングマシン側表面３８、対向する下部側又は楽器側表面３９、並びに上部及び下部表面の間の板部を通過して延びる柱部用開口部４１を備えた板状部材３６を含む。柱部用開口部４１は、チューニングマシンの円柱部１６を受けて通過させるように構成される。板状部材３６は、チューニングマシン１０の柱部１６が柱部用開口部４１内に配置されるときにチューニングマシンのロケータピン１７にアライメントされるように構成され、またチューニングマシンのロケータピン１７を受けるように適応された、チューニングマシン側表面３８のチューニングマシンアライメント開口部４０を含む。板状部材３６は、チューニングマシンの柱部が設置部材の柱部用開口部内と楽器の柱部用開口部内に配置されるときに楽器の受け孔にアライメントされるように構成された、楽器用アライメント要素４２も含む。例示の実施形態では、楽器用アライメント要素４２は、実施形態（ａ）及び（ｂ）における孔４４か、或いは実施形態（ｃ）及び（ｄ）におけるノッチ４５を含む。該楽器用アライメント要素４２は、楽器に対して板状部材が回転することを防ぐために、孔４４を通過するか若しくは板状部材３６のノッチ４５と接して通過するねじを楽器に受けて係合される楽器の受け孔にアライメントされる。
【００２０】
図８を参照すると、図１に示されるようなチューニングマシンと共に、図６及び図７の実施形態における設置部材を設置する配置を表すギターヘッド２０の斜視図が示される。示されるように、ヘッド２０の設置構造は柱部用開口部２８と斜めにオフセット配置された受け孔２６を備える。実施形態（ａ）の設置部材又は板３４は、これも孔４４と２６及び柱部用開口部４１と２８がアライメントされるようにオフセット配置された孔４４と柱部用開口部４１とを備える。チューニングマシン１０は、チューニングマシンのボディ１４の前方側端部に隣接する対のロケータピン１７を含む。実施形態（ａ）の板状部材３４も、上部表面３８に、板状部材の前方端部４３に隣接する対の配置用開口部又は孔４０を備える。板状部材の孔４０は、柱部１６が板状部材の柱部用開口部４１内に配置されるときに、チューニングマシンのロケータピン１７を受けるように配置されサイズを定められる。
【００２１】
チューニングマシンは、まず、柱部１６が柱部用開口部４１を通過してロケータピン１７が孔４０内に受け取られるようにチューニングマシンを板状部材３４に配置し、そして、柱部がヘッドの柱部用開口部２８を通過し、板状部材の孔４４がヘッドの受け孔２６にアライメントされるように、チューニングマシンと板状部材との組合せをヘッドに配置することによって、楽器に設置される。ねじ３１は、孔４４を通過して、板状部材を楽器に固定するために受け孔２６に留められ、そしてナットは、アセンブリ全体をヘッドに固定するためにねじ式ハブ１５に締めて固定される。有利には、チューニングマシンは、孔４０内に受けるロケータピン１７により、板状部材に対する回転が抑制され、板状部材は、孔４４を通過して楽器に入るねじにより、ヘッドに対する回転が抑制される。従って、板状部材３４によって、ロケータピンを備えるチューニングマシンは位置が合わない設置構造を有する楽器に設置されることができ、例示の実施形態においては、楽器自体にいずれの変形もおこなう必要なくチューニングマシンの回転を抑制するために、柱部用開口部からオフセット配置された設置ねじが拠りどころとなる。
【００２２】
図９を参照すると、図１のチューニングマシンと共に、図６及び図７における実施形態（ｂ）の設置部材を設置する配置を示すギターへッドの斜視図が示される。図８に示されるものとの主な違いは、ヘッドの柱部用開口部２８に対する受け孔２６の配置と合致させるための、板状部材３４の柱部用開口部４１に対する孔４４の配置と、最終的なその形状である。
【００２３】
図１０〜図１６を参照すると、上部側又はチューニングマシン側表面３８、対向する下部側又は楽器側表面３９、並びに上部及び下部表面の間の板状部材を通過して延びる柱部用開口部４１を備えた設置部材又は板状部材３４を含む本発明の他の実施形態が示される。柱部用開口部４１は、チューニングマシンの円柱部１６を受けて通過させるように構成される。板状部材３４は、チューニングマシン１０の柱部１６が柱部用開口部４１内に配置されるときに、チューニングマシンのロケータピン１７にアライメントされるように構成され、チューニングマシンのロケータピン１７を受けるように適合された、チューニングマシン側表面３８における対のチューニングマシンアライメント開口部４０を含む。また、板状部材３４は、チューニングマシンの柱部が設置部材の柱部用開口部及び楽器の柱部用開口部内に配置されるときに、楽器の受け孔にアライメントされるように構成された対の楽器用アライメント要素も含む。例示の実施形態では、楽器用アライメント要素４２は、板状部材の下部表面３９から下方に延びる対の突起部又はロケータピン４７を含み、該対の突起部又はロケータピン４７は、ロケータピン４７を受けるヘッド上の補完的な受け孔１９にアライメントされる。
【００２４】
図１７及び図１８に関して、図１０〜図１８の実施形態のチューニングマシンは、まず、柱部１６が柱部用開口部４１を通過してロケータピン１７が孔４０内に受け入れられるようにチューニングマシンを板状部材３４に配置し、そして、柱部がヘッドの柱部用開口部を通過し、板状部材３４の下部表面のロケータピン４７がヘッドの受け孔１９にアライメントされるように、チューニングマシンと板状部材との組合せをヘッド２０に配置することによって、楽器に設置される。また、アセンブリ全体をヘッドに固定するために、ナットはねじ式ハブ１５に締めて固定される。有利には、チューニングマシンは、孔４０内に受けるロケータピン１７により、板状部材に対する回転が抑制され、板状部材は、ヘッドの受け孔１９内に受けるロケータピン４７により、ヘッドに対する回転が抑制される。従って、一構成におけるロケータピンを備えたチューニングマシンは、板状部材３４によって、楽器自体にいずれの変形もおこなう必要なく、チューニングマシンのロケータピン１７と直接的にはアライメントされない受け孔１９を有する位置の合わない設置構造を備えた楽器に設置されることができる。
【００２５】
設置されるアセンブリの外観をよくする目的で、一部の実施形態における板状部材は、見た目の影響を最小限にするために、（例示されるような）対応するチューニングマシンの設置面にぴったりと合致するようにサイズを定められてもよい。追加又は代替として、板状部材の材料と仕上げとは、楽器の全体的な外観に対応するか、又は楽器の特定の美的特徴（ビンテージ感、色など）を保持するために部品に似せるように選択されてもよい。
【００２６】
図１９を参照すると、図１０〜図１６に示される実施形態の設置部材を用いて設置されたチューニングマシン一式を備えたギターヘッドが示され、本発明の設置部材が、設置されたチューニングマシンの全体的な外観に最小限の影響を与え、外観がすっきりとして美的であることが表される。
【００２７】
本発明の設置部材の一部の実施形態が示され記載されるものの、それぞれはチューニングマシンの複数の設置構造のうちの１つを満たすように構成されており、楽器においてしばしば見受けられるものである。さらに、柱部用開口部４１に対するチューニングマシンアライメント開口部４０及び楽器用アライメント要素４２のうちの１つ又は両方の数や、サイズ、配置、間隔が変更され得ることが考慮されることから、本発明の他の実施形態は、チューニングマシンのロケータピン構成を、本明細書に記載されていない不適当な組合せの楽器における設置構造に適合させるようにして取得されてもよい。
【００２８】
また、上記記載と図面によって本発明の好適又は代替的な実施形態が表されるが、本発明の範囲から離れることなく多数の変形がなされることが理解される。つまり、本明細書に記載され描出される実施形態は、添付の特許請求の範囲によって理解される本発明を限定するものとして考慮されない。
【図１】
0006643082.tif 000002
【図２】
0006643082.tif 000003
【図３】
0006643082.tif 000004
【図４】
0006643082.tif 000005
【図５】
0006643082.tif 000006
【図６】
0006643082.tif 000007
【図７】
0006643082.tif 000008
【図８】
0006643082.tif 000009
【図９】
0006643082.tif 000010
【図１０】
0006643082.tif 000011
【図１１】
0006643082.tif 000012
【図１２】
0006643082.tif 000013
【図１３】
0006643082.tif 000014
【図１４】
0006643082.tif 000015
【図１５】
0006643082.tif 000016
【図１６】
0006643082.tif 000017
【図１７】
0006643082.tif 000018
【図１８】
0006643082.tif 000019
【図１９】
0006643082.tif 000020